【手続補正書】
【提出日】平成18年6月20日(2006.6.20)
【手続補正１】
【補正対象書類名】明細書
【補正対象項目名】特許請求の範囲
【補正方法】変更
【補正の内容】
【特許請求の範囲】
【請求項１】  イメージデータのアレイを処理する方法であって、
事前定義された順序においてイメージデータのタイルを処理するステップを含み、前記タイルが処理されたイメージデータを生成するように前記イメージデータの重複しない部分を有し、
前記処理されたイメージデータをデータイメージファイルとして記憶するステップと、
イメージデータの前記タイルの第１部分集合内の各タイルを処理する前記ステップにおいて、
変換係数の逐次的集合を生成するようにイメージデータの前記タイルへ事前定義された一連の変換フィルタを適用するステップと、
処理中の前記タイルの近傍に所在する事前定義されたタイルへの事前定義された前記一連の変換フィルタ適用に際して使用するために、対応する複数の変換係数の集合から縁変換係数の事前定義された集合のコピー１部をセーブするステップとを含み、
事前定義された一連の変換フィルタを適用する前記ステップが、タイルの前記第１部分集合の第２部分集合に関して、以前の変換フィルタによって生成された変換係数の前記集合および事前定義された近傍タイル処理に際してセーブされた１つの集合の前記コピーの両方に複数の前記変換フィルタの各々を適用するステップを含む方法。
【請求項２】  縁変換係数の事前定義された前記集合の第１部分集合の各々が変換係数の対応する前記集合の最上部または底部縁に沿った変換係数の行を含み、縁変換係数の事前定義された前記集合の第２部分集合の各々が変換係数の対応する前記集合の左または右縁に沿った変換係数の列を含む請求項１に記載の方法。
【請求項３】  前記タイルが境界を有し、複数の前記変換フィルタが非対称であって、第１側部上の各タイル境界を越えて伸延するが、前記第１側部に対向する第２側部上の前記タイル境界を越えて伸延することのない請求項１に記載の方法。
【請求項４】  前記変換フィルタがウェーブレットまたはウェーブレット様分解変換フィルタである請求項１に記載の方法。
【請求項５】  イメージ処理システムであって、
イメージデータのアレイを生成するイメージ捕捉装置と、
事前定義された順序において前記イメージデータのタイルを処理するイメージ処理回路とを有し、前記タイルが、処理済みイメージデータを生成するように前記イメージデータの重複しない部分を有し、
処理済みイメージデータをデータイメージファイルとして記憶するメモリを有し、
前記イメージ処理回路において、
変換係数の逐次的集合を生成するように事前定義された一連の変換フィルタをイメージデータの各タイルへ適用する手段を有し、
処理中の前記タイルの近傍に所在する事前定義されたタイルへの事前定義された前記一連の変換フィルタ適用に際して使用するために、対応する複数の変換係数の集合から縁変換係数の事前定義された集合のコピー１部をセーブするために、前記タイルの第１部分集合処理と共に使用される手段を有し、
前記タイルの第２部分集合処理と共に使用される事前定義された一連の変換フィルタを適用するための前記手段が以前の変換フィルタによって生成された変換係数の前記集合および事前定義された近傍タイル処理に際してセーブされた１つの集合の前記コピーの両方に複数の前記変換フィルタの各々を適用するための手段を含むイメージ処理システム。
【請求項６】  縁変換係数の事前定義された前記集合の第１部分集合の各々が変換係数の対応する前記集合の最上部または底部縁に沿った変換係数の行を含み、縁変換係数の事前定義された前記集合の第２部分集合の各々が変換係数の対応する前記集合の左または右縁に沿った変換係数の列を含む請求項５に記載のイメージ処理システム。
【請求項７】  前記タイルが境界を有し、複数の前記変換フィルタが非対称であって、第１側部上の各タイル境界を越えて伸延するが、前記第１側部に対向する第２側部上の前記タイル境界を越えて伸延することのない請求項５に記載のイメージ処理システム。
【請求項８】  前記変換フィルタがウェーブレットまたはウェーブレット様分解変換フィルタである請求項５に記載のイメージ処理システム。
【請求項９】  コンピュータシステムと共に使用されるコンピュータ読取り可能な媒体であって、前記コンピュータ読取り可能な媒体がコンピュータ読取り可能記憶媒体およびその中に埋め込まれたコンピュータプログラムメカニズムを有し、前記コンピュータプログラムメカニズムがイメージ処理システムを有し、
イメージデータのアレイを受け取り、事前定義された順序においてイメージデータのタイルを処理するイメージ処理モジュールを有し、前記タイルが、処理済みイメージデータを生成するように前記イメージデータの重複しない部分を有し、前記イメージ処理モジュールが処理済みイメージデータをデータイメージファイルとして記憶し、
前記イメージ処理モジュールが変換係数の逐次的集合を生成するように事前定義された一連の変換フィルタをイメージデータの各タイルへ適用するためのタイル分解サブモジュールを含み、
前記タイル分解サブモジュールが、処理中の前記タイルの近傍に所在する事前定義されたタイルへ事前定義された一連の前記変換フィルタを適用する際に使用して対応する複数の縁変換係数の前記集合からの事前定義された集合のコピーをセーブするためにイメージデータの前記タイルの第１部分集合の処理と共に使用される縁係数セーブ命令を含み、
以前の変換フィルタによって生成された変換係数の前記集合および事前定義された近傍に所在するタイルの処理に際してセーブされた縁変換係数の１つの集合の前記コピーの両方に複数の前記変換フィルタの各々を適用するためにイメージデータの前記タイルの第２部分集合の処理と共に使用される前記タイル分解サブモジュールが縁係数消費分解命令を含むコンピュータ読取り可能な媒体。
【請求項１０】  縁変換係数の事前定義された前記集合の第１部分集合の各々が変換係数の対応する前記集合の最上部または底部縁に沿った変換係数の行を含み、縁変換係数の事前定義された前記集合の第２部分集合の各々が変換係数の対応する前記集合の左または右縁に沿った変換係数の列を含む請求項９に記載のコンピュータ読取り可能な媒体。
【請求項１１】  前記タイルが境界を有し、複数の前記変換フィルタが非対称であって、第１側部上の各タイル境界を越えて伸延するが、前記第１側部に対向する第２側部上の前記タイル境界を越えて伸延することのない請求項９に記載のコンピュータ読取り可能な媒体。
【請求項１２】  前記変換フィルタがウェーブレットまたはウェーブレット様分解変換フィルタである請求項９に記載のコンピュータ読取り可能な媒体。
【請求項１３】  圧縮されたイメージデータのアレイからイメージデータのアレイを復元する方法であって、
事前定義された順序において圧縮された前記イメージデータのタイルを処理するステップを含み、復元されたイメージを表す復元されたイメージデータを生成するように前記タイルが圧縮された前記イメージデータの重複しない部分を有し、
圧縮されたイメージデータのタイルの各々を処理する際に、変換係数の逐次的集合および続いて復元されたイメージデータの１つの集合を生成するように、事前定義された一連の逆変換フィルタを前記タイルへ適用するステップと、
復元された前記イメージデータを記憶またはディスプレイするステップとを含み、
前記タイルの第１部分集合内各タイルの前記処理ステップが、処理中の前記タイルの近傍に所在する事前定義されたタイルへの事前定義された前記一連の変換フィルタ適用に際して使用するために、対応する複数の変換係数の集合から縁変換係数の事前定義された集合のコピー１部をセーブするステップを含み、
事前定義された一連の変換フィルタを適用する前記ステップが、タイルの前記第１部分集合の第２部分集合に関して、以前の変換フィルタによって生成された変換係数の前記集合および事前定義された近傍タイル処理に際してセーブされた１つの集合の前記コピーの両方に複数の前記変換フィルタの各々を適用するステップを含む方法。
【請求項１４】  前記タイルが境界を有し、複数の前記変換フィルタが非対称であって、第１側部上の各タイル境界を越えて伸延するが、前記第１側部に対向する第２側部上の前記タイル境界を越えて伸延することのない請求項１３に記載の方法。
【請求項１５】  イメージ処理システムであって、
圧縮済みイメージデータのアレイとして記憶するメモリと、
事前定義された順序において前記圧縮済みイメージデータのタイルを処理するイメージ復元回路とを有し、前記タイルが復元済みイメージを表す復元済みイメージデータを生成するように前記圧縮済みイメージデータの重複しない部分を有し、
前記イメージ復元回路において、
変換係数の逐次的集合および次に復元済みイメージデータの１つの集合を生成するように事前定義された一連の逆変換フィルタを圧縮されたイメージデータの各タイルへ適用する手段を有し、
処理中の前記タイルの近傍に所在する事前定義されたタイルへの事前定義された前記一連の逆変換フィルタ適用に際して使用するために、対応する複数の変換係数の集合から縁変換係数の事前定義された集合のコピー１部をセーブするために、前記タイルの第１部分集合処理と共に使用される手段を有し、
前記タイルの第２部分集合処理と共に使用される事前定義された一連の逆変換フィルタを適用するための前記手段が以前の変換フィルタによって生成された変換係数の前記集合および事前定義された近傍タイル処理に際してセーブされた１つの集合の前記コピーの両方に複数の前記逆変換フィルタの各々を適用するための手段を含むイメージ処理システム。
【請求項１６】  前記タイルが境界を有し、複数の前記変換フィルタが非対称であって、第１側部上の各タイル境界を越えて伸延するが、前記第１側部に対向する第２側部上の前記タイル境界を越えて伸延することのない請求項１５に記載のイメージ処理システム。
【請求項１７】  コンピュータシステムと共に使用されるコンピュータ読取り可能な媒体であって、前記コンピュータ読取り可能な媒体がコンピュータ読取り可能記憶媒体およびその中に埋め込まれたコンピュータプログラムメカニズムを有し、前記コンピュータプログラムメカニズムがイメージ処理システムを有し、
圧縮済みイメージデータのアレイを受け取り、事前定義された順序において圧縮済みイメージデータのタイルを処理するイメージ処理モジュールを有し、前記タイルが、復元済みイメージを表す復元済みイメージデータを生成するように前記圧縮済みイメージデータの重複しない部分を有し、前記イメージ処理モジュールが処理済みイメージデータをデータイメージファイルとして記憶し、
前記イメージ処理モジュールが変換係数の逐次的集合および続いて復元済みイメージデータの１つの集合を生成するように事前定義された一連の逆変換フィルタをイメージデータの各タイルへ適用するためのタイル復元サブモジュールを含み、
前記タイル復元サブモジュールが、処理中の前記タイルの近傍に所在する事前定義されたタイルへ事前定義された一連の前記逆変換フィルタを適用する際に使用して対応する複数の縁変換係数の前記集合からの事前定義された集合のコピーをセーブするためにイメージデータの前記タイルの第１部分集合の処理と共に使用される縁係数セーブ命令を含み、
以前の変換フィルタによって生成された変換係数の前記集合および事前定義された近傍に所在するタイルの処理に際してセーブされた縁変換係数の１つの集合の前記コピーの両方に複数の前記逆変換フィルタの各々を適用するためにイメージデータの前記タイルの第２部分集合の処理と共に使用される前記タイル復元サブモジュールが縁係数消費分解命令を含むコンピュータ読取り可能な媒体。
【請求項１８】  前記タイルが境界を有し、複数の前記変換フィルタが非対称であって、第１側部上の各タイル境界を越えて伸延するが、前記第１側部に対向する第２側部上の前記タイル境界を越えて伸延することのない請求項１７に記載のコンピュータ読取り可能な媒体。